(57)【特許請求の範囲】
【請求項１】
リムをもつ水洗式便器の陶磁器製の該リムに取り付けられるスポットクーラであって、
前記リムに発熱面を当接し、該リムに該発熱面の熱を放出可能に設けられたペルチェ素子と、該ペルチェ素子の冷却面と接触する空気を送出する送風手段とを備えたことを特徴とするリム取り付け式スポットクーラ。
【請求項２】
リムの温度を検知する検知手段と、該検知手段の検知信号により該リムに水を供給する水路を開閉する開閉弁とを備えたことを特徴とする請求項１記載のリム取り付け式スポットクーラ。
【発明の詳細な説明】
【０００１】
【発明の属する技術分野】
本発明はリム取り付け式スポットクーラに関する。このリム取り付け式スポットクーラは、水洗式便器に用いられる。
【０００２】
【従来の技術】
従来、冷房、除湿装置が水洗式便器、洗面器等の水廻り品専用として設けられることはなかった。
【０００３】
【発明が解決しようとする課題】
しかし、近年、人間の快適な生活を望む要求から、水洗式便器が設けられたトイレ室や洗面器が設けられた洗面室等、居住する部屋以外の部屋でも冷房が望まれつつある。特に、水洗式便器等の水廻り品では常時水を使用することから、その周囲は非常に湿度が高くなっている。そのため、水廻り品の周囲は、その使用に際して不快感を伴い易い。また、湿度が高いと結露水が生じやすく、電気機器の誤作動を引き起こしたり、建材等に錆やカビが発生したりし易い。
【０００４】
このため、水廻り品を含んだ部屋全体に除湿、冷房装置を設けるとしても、それでは、温風を室外に排出するための配管を室外に導く必要もあり、施工のための工事により簡便性に欠ける。
【０００５】
本発明は、上記従来の実情に鑑みてなされたものであって、水洗式便器のある部屋において簡易に冷房や除湿を実現できるとともに、その水洗式便器を快適に使用することができ、かつ電気機器の誤作動及び建材等の錆やカビを防止することのできるリム取り付け式スポットクーラを提供することを解決すべき課題としている。
【０００６】
【課題を解決するための手段】
本発明のリム取り付け式スポットクーラは、リムをもつ水洗式便器の陶磁器製の該リムに取り付けられるスポットクーラであって、
【０００７】
前記リムに発熱面を当接し、該リムに該発熱面の熱を放出可能に設けられたペルチェ素子と、該ペルチェ素子の冷却面と接触する空気を送出する送風手段とを備えたことを特徴とする。
【０００８】
このリム取り付け式スポットクーラでは、ペルチェ素子の冷却面と接触する空気を送風手段により送出するため、水洗式便器の周囲の温度及び湿度を低下し、水洗式便器のある部屋において簡易に冷房や除湿を実現できる。こうして、水洗式便器の使用を快適に行うことができる。
【０００９】
また、このリム取り付け式スポットクーラでは、水洗式便器の周囲の湿度を低下して結露水が生じるのを防止できるため、電気機器の誤作動を引き起こすこともなく、建材等に錆やカビが発生し難くなる。
【００１０】
さらに、このリム取り付け式スポットクーラでは、ペルチェ素子の発熱面の熱をリムに放出するため、ペルチェ素子は発熱面と冷却面との温度差を維持しやすく、冷却面で上記作用を継続しやすい。こうして、発熱面の熱をリムに放出するため、通常の除湿、冷房装置のように配管を室外に導く必要がなく、簡易に使用することができる。
【００１１】
また、水洗式便器のリムには通常冷たい水が供給され、これによりリムの外面に結露水を生じやすく、その周囲に湿気による不具合を生じさせるおそれがある。しかし、本発明のリム取り付け式スポットクーラを設ければ、ペルチェ素子の発熱面の熱によりリムが加熱されることとなるため、リムの外面に結露水を生じ難く、周囲に湿気による不具合を生じさせにくい。
【００１２】
したがって、本発明のリム取り付け式スポットクーラによれば、水洗式便器のある部屋において簡易に冷房や除湿を実現できるとともに、その水洗式便器を快適に使用することができ、かつ電気機器の誤作動及び建材等の錆やカビを防止することができる。
【００１３】
水洗式便器であれば、リムを有するため、このリム取り付け式スポットクーラを取り付けるために好適である。
【００１４】
リムは陶磁器製である。陶磁器製であれば熱容量が大きいため、ペルチェ素子の発熱面の熱をリムに放出することができる。
【００１５】
本発明のリム取り付け式スポットクーラは、リムの温度を検知する検知手段と、この検知手段の検知信号によりリムに水を供給する水路を開閉する開閉弁とを備えることが望ましい。これにより、リムの温度を低く保つことができるため、ペルチェ素子の発熱面の熱を効率よくリム内の水に放出することが可能となる。
【００１６】
【発明の実施の形態】
以下、本発明を具体化した実施形態を図面を参照しつつ説明する。
【００１７】
本実施形態のリム取り付け式スポットクーラでは、図１に示すように、水洗式便器４のリム４ａにペルチェ素子１を介してスポットクーラ本体２が設けられている。スポットクーラ本体２は家庭用交流電源により駆動されるようになっている。なお、便座、便蓋等は図示していない。ペルチェ素子１の発熱面１ａ側はリム４ａに当接している。また、ペルチェ素子１の冷却面１ｂ側にはスポットクーラ本体２が設けられている。ここで、スポットクーラ本体２が送風手段である。
【００１８】
また、リム４ａには、リム４ａの温度を検知する検知手段としての温度センサ３が設けられている。さらに、リム４ａに上水道から水を供給すべく水路６がその水路６を開閉する開閉弁５とともに設けられている。これら温度センサ３及び開閉弁５は制御装置７と電気的に接続されている。
【００１９】
以上のように構成されたリム取り付け式スポットクーラでは、図示しない人体検知センサが人を検知すると、リム取り付け式スポットクーラに電源が自動的に供給される。これにより、ペルチェ素子１の発熱面１ａから発熱する熱がリム４ａに放出される。また、ペルチェ素子１の冷却面１ｂに接触して冷却された空気がスポットクーラ本体２により送出される。
【００２０】
こうして、このリム取り付け式スポットクーラでは、冷却された空気がスポットクーラ本体２により送出されるため、水洗式便器４の周囲の温度及び湿度を低下し、トイレ室において簡易に冷房や除湿を実現できる。こうして、水洗式便器４の使用を快適に行うことができる。
【００２１】
また、このリム取り付け式スポットクーラでは、水洗式便器４の周囲の湿度を低下して結露水が生じるのを防止できるため、電気機器の誤作動を引き起こすこともなく、建材等に錆やカビが発生し難くなる。
【００２２】
さらに、このリム取り付け式スポットクーラでは、ペルチェ素子１の発熱面１ａの熱を熱容量の大きいリム４ａに放出するため、ペルチェ素子１は発熱面１ａと冷却面１ｂとの温度差を維持しやすく、冷却面１ｂで上記作用を継続しやすい。また、こうして、発熱面１ａの熱をリム４ａに放出するため、通常の除湿、冷房装置のように配管を室外に導く必要がなく、簡易に使用することができる。さらには、このリム取り付け式スポットクーラは温風を室外に排出することがないため、環境に優しいものである。
【００２３】
また、このリム取り付け式スポットクーラでは、ペルチェ素子１の発熱面１ａの熱によりリム４ａが加熱されることとなるため、リム４ａの外面に結露水を生じ難く、周囲に湿気による不具合を生じさせにくい。
【００２４】
したがって、このリム取り付け式スポットクーラによれば、トイレ室において簡易に冷房や除湿を実現できるとともに、そのトイレ室内の水洗式便器４を快適に使用することができ、かつ電気機器の誤作動及び建材等の錆やカビを防止することができる。
【００２５】
また、このリム取り付け式スポットクーラでは、リム４ａの温度が一定温度以上になった場合、温度センサ３より検知信号が制御装置７に出力される。検知信号が制御装置７に入力されると、制御装置７は開閉弁５を開く。これにより、水路６が開かれ、リム４ａに上水道から水が供給される。こうして、リム４ａの温度が一定温度以下に保たれるため、ペルチェ素子１の発熱面１ａから発熱する熱が効率よくリム４ａに放出される。そのため、リム４ａの温度が一定温度以上になった場合であっても、冷却面１ｂに接触している空気は確実に冷却され、このリム取り付け式スポットクーラの機能が損われることはない。
【００２６】
なお、このリム取り付け式スポットクーラの仕様は以下の通りである。
〔仕様〕
電源：ＡＣ１００Ｖ、６Ａ
トイレ室の体積：５ｍ3（Ｗ１×Ｌ２×Ｈ２．５）
風量：１．０ｍ3／分
換気時間：５分（したがって、風量は、５÷５＝１．０（ｍ3／分である。）
風速：３．３ｍ／秒
吹出口の大きさ：５０ｍｍ×１００ｍｍ（したがって、風速は、１．０÷６０÷（０．０５×０．１）＝３．３（ｍ／秒）である。）
温度差：−５℃（温度４０℃、湿度９５％）
【図面の簡単な説明】
【図１】実施形態のリム取り付け式スポットクーラの模式図である。
【符号の説明】
４…水廻り品（水洗式便器）
４ａ…リム
１…ペルチェ素子
１ａ…発熱面
１ｂ…冷却面
２…送風手段（スポットクーラ本体）
３…検知手段（温度センサ）
６…水路
５…開閉弁
【図１】
0004274343.tif 000002